(57)【要約】【課題】実際の方角・方位等の位置に合わせてコンテンツの方角・方位等の位置を自在に変えるコンテンツ情報出力システム及びコンテンツ情報出力方法を得る。【解決手段】コンテンツ情報に対してコンテンツの方向を特定するための方向性情報を付与するコンテンツ方向性情報付与手段１２Ｂと、方向性情報が付与されたコンテンツ情報を方向性情報付コンテンツ情報として記憶するコンテンツ情報記憶手段１２Ｄと、方向性情報付コンテンツ情報を通信装置１４に対して出力するコンテンツ情報出力手段１２Ｅと、通信装置１４の方向検知手段を利用して実際の方向と方向性情報付コンテンツ情報の方向とが一致するように調整するコンテンツ情報方向調整手段１４Ｃと、コンテンツの方向と実際の方向とが一致した状態で表示可能なように方向性情報付コンテンツ情報のコンテンツを表示手段に対して投影するコンテンツ情報投影手段１４Ｄと、を有する。【選択図】      図１
2015222514.tif 000002
【特許請求の範囲】
【請求項１】
所定のコンテンツに関するコンテンツ情報に対して前記コンテンツの方向を特定するための方向性情報を付与するコンテンツ方向性情報付与手段と、
前記方向性情報が付与された前記コンテンツ情報を方向性情報付コンテンツ情報として記憶するコンテンツ情報記憶手段と、
前記方向性情報付コンテンツ情報を通信装置に対して出力するコンテンツ情報出力手段と、
前記通信装置の方向検知手段を利用して実際の方向と前記方向性情報付コンテンツ情報の方向とが一致するように調整するコンテンツ情報方向調整手段と、
前記コンテンツの方向と実際の方向とが一致した状態で表示可能なように前記方向性情報付コンテンツ情報の前記コンテンツを表示手段に対して投影するコンテンツ情報投影手段と、
を有することを特徴とするコンテンツ情報出力システム。
【請求項２】
前記コンテンツと共に表示可能な特定情報を前記方向性情報付コンテンツ情報に挿入するコンテンツ情報編集手段を有することを特徴とする請求項１に記載のコンテンツ情報出力システム。
【請求項３】
前記通信装置は、端末装置であり、
前記表示手段は、構造物の壁面、天井壁面又は床面であることを特徴とする請求項１又は２に記載のコンテンツ情報出力システム。
【請求項４】
所定のコンテンツに関するコンテンツ情報に対して前記コンテンツの方向を特定するための方向性情報を付与するコンテンツ方向性情報付与ステップと、
前記方向性情報が付与された前記コンテンツ情報を方向性情報付コンテンツ情報として記憶するコンテンツ情報記憶ステップと、
前記方向性情報付コンテンツ情報を通信装置に対して出力するコンテンツ情報出力ステップと、
前記通信装置の方向検知手段を利用して実際の方向と前記方向性情報付コンテンツ情報の方向とが一致するように調整するコンテンツ情報方向調整ステップと、
前記コンテンツの方向と実際の方向とが一致した状態で表示可能なように前記方向性情報付コンテンツ情報の前記コンテンツを表示手段に対して投影するコンテンツ情報投影ステップと、
を有することを特徴とするコンテンツ情報出力方法。
【請求項５】
前記コンテンツと共に表示可能な特定情報を前記方向性情報付コンテンツ情報に挿入するコンテンツ情報編集ステップを有することを特徴とする請求項４に記載のコンテンツ情報出力方法。
【請求項６】
前記通信装置として端末装置を利用し、
前記表示手段として構造物の壁面、天井壁面又は床面を利用することを特徴とする請求項４又は５に記載のコンテンツ情報出力方法。
【発明の詳細な説明】
【技術分野】
【０００１】
本発明は、コンテンツ情報出力システム及びコンテンツ情報出力方法に関する。
【背景技術】
【０００２】
従来から所定のコンテンツ情報を端末装置等に対して出力し、当該端末装置から壁面等に所定のコンテンツを表示するシステムが知られている。
【先行技術文献】
【特許文献】
【０００３】
【特許文献１】特開２００５−１１７６０９公報
【特許文献２】特開２００５−０９４７１８公報
【特許文献３】特開２００５−０９４４９６公報
【発明の概要】
【発明が解決しようとする課題】
【０００４】
しかしながら、従来技術では、端末装置から出力されるコンテンツの方向が一切調整されておらず、壁等に表示されるコンテンツの方向を変えることができない。このため、コンテンツの用途が極めて限られてしまい、面白みがなく、かつ不便である。
【０００５】
そこで、本発明は、上記問題に鑑み、実際の方角・方位等の位置に合わせてコンテンツの方角・方位等の位置を自在に変えることができるコンテンツ情報出力システム及びコンテンツ情報出力方法を提供することを目的とする。
【課題を解決するための手段】
【０００６】
第１の発明は、所定のコンテンツに関するコンテンツ情報に対して前記コンテンツの方向を特定するための方向性情報を付与するコンテンツ方向性情報付与手段と、前記方向性情報が付与された前記コンテンツ情報を方向性情報付コンテンツ情報として記憶するコンテンツ情報記憶手段と、前記方向性情報付コンテンツ情報を通信装置に対して出力するコンテンツ情報出力手段と、前記通信装置の方向検知手段を利用して実際の方向と前記方向性情報付コンテンツ情報の方向とが一致するように調整するコンテンツ情報方向調整手段と、前記コンテンツの方向と実際の方向とが一致した状態で表示可能なように前記方向性情報付コンテンツ情報の前記コンテンツを表示手段に対して投影するコンテンツ情報投影手段と、を有するコンテンツ情報出力システムである。
【０００７】
この場合、前記コンテンツと共に表示可能な特定情報を前記方向性情報付コンテンツ情報に挿入するコンテンツ情報編集手段を有することが好ましい。
【０００８】
この場合、前記通信装置は、端末装置であり、前記表示手段は、構造物の壁面、天井壁面又は床面であることが好ましい。
【０００９】
第２の発明は、所定のコンテンツに関するコンテンツ情報に対して前記コンテンツの方向を特定するための方向性情報を付与するコンテンツ方向性情報付与ステップと、前記方向性情報が付与された前記コンテンツ情報を方向性情報付コンテンツ情報として記憶するコンテンツ情報記憶ステップと、前記方向性情報付コンテンツ情報を通信装置に対して出力するコンテンツ情報出力ステップと、前記通信装置の方向検知手段を利用して実際の方向と前記方向性情報付コンテンツ情報の方向とが一致するように調整するコンテンツ情報方向調整ステップと、前記コンテンツの方向と実際の方向とが一致した状態で表示可能なように前記方向性情報付コンテンツ情報の前記コンテンツを表示手段に対して投影するコンテンツ情報投影ステップと、を有するコンテンツ情報出力方法である。
【００１０】
この場合、前記コンテンツと共に表示可能な特定情報を前記方向性情報付コンテンツ情報に挿入するコンテンツ情報編集ステップを有することが好ましい。
【００１１】
この場合、前記通信装置として端末装置を利用し、前記表示手段として構造物の壁面、天井壁面又は床面を利用することが好ましい。
【発明の効果】
【００１２】
本発明によれば、コンテンツの方向と実際の方向を一致させた状態で表示することができる。これにより、臨場感が増し、コンテンツの演出性が高くなる。
【００１３】
また、コンテンツと共に表示可能な特定情報を方向性情報付コンテンツ情報に挿入することができ、コンテンツの質を高めることができる。
【００１４】
また、通信装置として端末装置を利用し、表示手段として構造物の壁面、天井壁面又は床面を利用することにより、室内等の壁面、天井壁面又は床面で容易にコンテンツを表示することができる。
【図面の簡単な説明】
【００１５】
【図１】本発明の一実施形態のコンテンツ情報出力システムの概念図である。
【図２】本発明の一実施形態のコンテンツ情報出力システムのサーバーの構成を示した図である。
【図３】本発明の一実施形態のコンテンツ情報出力システムの通信装置の構成を示した図である。
【図４】本発明の一実施形態の通信装置のコンテンツ情報投影手段の一例を示した図である。
【図５】本発明の一実施形態の通信装置の一態様であるスマートフォン装置のコンテンツ情報投影手段による投影状態を示した概念図である。
【図６】本発明の一実施形態のコンテンツ情報の出力方法の各ステップを示した図である。
【図７】本発明の一実施形態のコンテンツ情報の生成方法の各ステップを示した図である。
【発明を実施するための形態】
【００１６】
本発明の一実施形態に係るコンテンツ情報出力システム及びコンテンツ情報出力方法について、図面を参照して説明する。
【００１７】
［コンテンツ情報出力システム］
先ず、コンテンツ情報出力システムの概念について説明する。
【００１８】
図１に示すように、コンテンツ情報出力システム１０は、主として、サーバー１２と、サーバー１２に対して所定の通信回線（例えば、インターネット等の通信網）を介して接続される単数又は複数の通信装置１４と、で構成されている。
【００１９】
図２に示すように、サーバー１２は、いわゆるコンピュータシステムであり、例えば、サーバー側統括制御手段１２Ａと、コンテンツ方向性情報付与手段１２Ｂと、コンテンツ情報編集手段１２Ｃと、コンテンツ情報記憶手段１２Ｄと、コンテンツ情報出力手段１２Ｅと、を有している。
【００２０】
サーバー側統括制御手段１２Ａは、サーバー１２の動作全体を統括的に制御する。サーバー側統括制御手段１２Ａは、例えば、ＣＰＵ等で構成されている。
【００２１】
コンテンツ方向性情報付与手段１２Ｂは、所定のコンテンツに関するコンテンツ情報に対してコンテンツの方向を特定するための方向性情報を付与する。
【００２２】
所定のコンテンツ情報には、例えば、地球上の各地点（例えば、都市単位ごと）の各年代（現在又は過去）における全ての天体（太陽・月を含む）あるいは風景・街並み・自然に関する情報（ライブ映像も含む）が含まれるが、これらに限られるものではない。特に、コンテンツ情報のコンテンツは、方向が規定されることになじむコンテンツが好ましい。
【００２３】
コンテンツ情報は、例えば、写真データ、画像データ、動画データ、静止画データなどのデジタル情報等が該当するが、これらに限られない。
【００２４】
所定のコンテンツには、コンテンツ情報に基づいた又はコンテンツ情報を反映したコンテンツが含まれる。例えば、所定のコンテンツ情報が地球上の各地点（例えば、都市単位ごと）の各年代（現在又は過去）における全ての天体（太陽・月を含む）あるいは風景・街並み・自然に関する情報で構成されていれば、コンテンツは地球上の各地点（例えば、都市単位ごと）の各年代における全ての天体（太陽・月を含む）あるいは風景・街並み・自然を表現又は演出するコンテンツになる。
【００２５】
コンテンツは、２次元的に視認できる平面コンテンツでもよいし、３次元的に視認できる立体コンテンツでもよい。コンテンツ情報の内容により、コンテンツを２次元的なものに表現することや３次元的なものに表現することが可能である。
【００２６】
コンテンツは、サーバー１２が撮影あるいは生成したものでも良いし、他の通信装置１４が撮影あるいは生成したものでもよい。また、世界各地に設置したライブカメラ等で撮影した画像・映像データ等でもよい。
【００２７】
方向性情報とは、コンテンツの方向を特定する情報、例えば、緯度・経度の他に、東・西・南・北等を意味する。コンテンツには、当該コンテンツが位置する本来の向き・方角があり、これをデジタル情報としてコンテンツ情報に付与される。コンテンツの方角は、例えばＧＰＳや方位磁石等により特定された実際の位置、あるいは地図上の位置などに基づいて規定される。
【００２８】
例えば、天体・風景・街並み・自然に関する情報には、緯度・経度、東・西・南・北に代表される方向が規定されており、このとき方向性情報はこれらの方向を意味する。
【００２９】
ここで、コンテンツ情報に方向性情報を付与する方法の一例として、従来から知られた写真等の情報に位置情報をタギングする方法を採用できる。
【００３０】
具体的には、全地球測位システム（ＧＰＳ）の地理的メタデータ（ＧＰＳメタデータ（方向性情報））をデバイス等で撮影された写真等の画像データ等（コンテンツ情報）に付加することができる。このメタデータを付加することにより、特定の写真等が撮影された場所を後で識別することも可能である。当該メタデータを付加するアプリケーションがサーバー１２等に内蔵されており、当該アプリケーションによりコンテンツ方向性情報付与手段１２Ｂが作動してメタデータがコンテンツ情報に付加される。
【００３１】
詳細には、画像等の位置情報データ（ＧＰＳメタデータ等）を取得する。例えば、画像が撮影された場所の緯度及び経度を入力（取得）する。次に、位置情報データを埋め込む画像・映像等を取得する。当該画像・映像は、例えば星座あるいは風景等の画像・映像である。次に、位置情報データを画像・映像データに埋め込む。そして、位置情報データを画像・映像データに埋め込んだ状態で、画像・映像をファイルシステムに保存する。
【００３２】
なお、コンテンツ情報に方向性情報を付与する方法は、一例として、特開平１１−２７２１６４号公報に記載された技術を利用することもできる。その他、データに位置情報（方角、方位を特定する情報）を付加する技術については、従来の技術を利用することができる。
【００３３】
コンテンツ情報に方向性情報を付与する場合、コンテンツ情報の作成時に方向性情報がサーバー１２のコンテンツ方向性情報付与手段１２Ｂにより自動的に付与される態様でもよいし、作業者がコンテンツ方向性情報付与手段１２Ｂを操作して事後的に付与する態様でもよい。なお、コンテンツ情報に方向性情報を付与するタイミングは、特に限定されない。
【００３４】
また、コンテンツ方向性情報付与手段１２Ｂがサーバー１２とは別の通信装置において内蔵されており、当該別の通信装置においてコンテンツ方向性情報がコンテンツ情報に付与され、当該方向性情報付コンテンツ情報がサーバー１２に出力されて記憶される構成でもよい。
【００３５】
コンテンツ情報に方向性情報が付与されたものは方向性情報付コンテンツ情報になり、コンテンツ情報記憶手段１２Ｄに記憶される。
【００３６】
なお、コンテンツ方向性情報付与手段１２Ｂとして、例えば、ＣＰＵで構成されている。
【００３７】
コンテンツ情報記憶手段１２Ｄは、コンテンツ情報とともに、方向性情報が付与されたコンテンツ情報を方向性情報付コンテンツ情報として記憶する。コンテンツ情報あるいは方向性情報付コンテンツ情報は、随時更新されていく。
【００３８】
なお、コンテンツ情報記憶手段１２Ｄは、例えば、ＲＯＭ又はＲＡＭで構成されている。
【００３９】
コンテンツ情報編集手段１２Ｃは、コンテンツ情報又は方向性情報付コンテンツ情報に対して、特定情報を挿入（追加又は削除）するものである。特定情報を挿入するための技術的手段については、従来からデジタル情報の編集技術が知られているため、それらの従来技術を利用できる。
【００４０】
特定情報とは、例えば、メッセージ等の文字、図面、キャラクタ等を表現するためのデジタル情報が該当する。特定情報は、サーバー１２で生成されるものでもよいし、サーバー１２にアクセス可能な通信装置等で生成されたものでもよい。特定情報は、例えば、コンテンツ情報記憶手段１２Ｄ等に記憶される。
【００４１】
コンテンツ情報又は方向性情報付コンテンツ情報に対して特定情報が挿入された場合には、当該コンテンツの中で特定情報（文字、図面、キャラクタ等）が示される。
【００４２】
なお、特定情報は、コンテンツ情報又は方向性情報付コンテンツ情報から削除することも可能であり、編集自在である。
【００４３】
コンテンツ情報編集手段１２Ｃは、例えば、例えば、ＣＰＵで構成されている。
【００４４】
コンテンツ情報出力手段１２Ｅは、必要に応じて特定情報が付加された方向性情報付コンテンツ情報を各通信装置１４に対して出力する。コンテンツ情報出力手段１２Ｅは、各通信装置１４からの要求に基づいて、あるいは予め設定された所定のタイミングにおいて、方向性情報付コンテンツ情報を各通信装置１４に対して出力する。
【００４５】
なお、コンテンツ情報出力手段１２Ｅとして、例えば、ＣＰＵで構成されている。
【００４６】
通信装置１４は、例えば、モバイルや固定型の端末装置で構成されている。  通信装置１４は、いわゆる射影機と端末装置とが一体に構成されている構成でもよいし、射影機と端末装置とが別々に構成されたものでもよい。
【００４７】
図３に示すように、通信装置１４は、例えば、端末側統括制御手段１４Ａと、方向検知手段１４Ｂと、コンテンツ情報方向調整手段１４Ｃと、コンテンツ情報投影手段１４Ｄと、端末側記憶手段１４Ｅと、を有している。
【００４８】
端末側統括制御手段１４Ａは、通信装置１４の動作全体を統括的に制御する。端末側統括制御手段１４Ａとして、例えば、ＣＰＵで構成されている。
【００４９】
方向検知手段１４Ｂは、例えば、ＧＰＳユニットあるいは方位磁石等を有し、実際の方角（方位）を検知することができる。方向検知手段１４Ｂは、通信装置１４の位置を特定することができるため、位置検知手段としての機能も兼備する。
【００５０】
コンテンツ情報方向調整手段１４Ｃは、方向検知手段１４Ｂの検知結果を利用して、方向性情報付コンテンツ情報の方向と実際の方向とが一致するように調整する。
【００５１】
ここで、「方向性情報付コンテンツ情報の方向と実際の方向とを一致させる」とは、例えば、方向性情報付コンテンツ情報がコンテンツ情報投影手段１４Ｄにより表示手段１６に投影されたときに、コンテンツの本来の方角（方位）と実際の方角（方位）とが一致するように表示させるための調整、具体的には方向性情報付コンテンツ情報自体の向きの調整あるいはコンテンツ情報投影手段１４Ｄの投影側の調整を意味する。
【００５２】
方向調整前の方向性情報付コンテンツ情報又は方向調整前の方向性情報付コンテンツ情報は、端末側記憶手段１４Ｅに記憶される。
【００５３】
なお、コンテンツ情報方向調整手段１４Ｃは、例えば、ＣＰＵ等で構成されており、詳細は後述する。また、端末側記憶手段１４Ｅは、例えば、ＲＯＭ又はＲＡＭ等で構成されている。
【００５４】
コンテンツ情報投影手段１４Ｄは、コンテンツの方向と実際の方向とが一致した状態で表示可能なように方向性情報付コンテンツ情報のコンテンツを表示手段１６に対して投影する。
【００５５】
なお、コンテンツ情報投影手段１４Ｄとは、例えば、従来のプロジェクタ機能を備えたもの、あるいは特開２００５-１１７６０９号公報に記載されている画像投影部の構成を採用することができる。
【００５６】
具体的には、図４に示すように、コンテンツ情報投影手段１４Ｄは、ビーム光源１４Ｄ１と、光学スキャナー１４Ｄ２と、それらを駆動するための駆動制御部１４Ｄ３と、を用いて構成されている。
【００５７】
ビーム光源１４Ｄ１としては、ＬＤ（半導体レーザ）やＬＥＤ（発光ダイオード）等を用いることができる。ビーム光源１４Ｄ１から出射されるビーム光の強度は、端末側統括制御手段１４Ａから送られてきた制御データに基づいて駆動制御部１４Ｄ３により制御される。
【００５８】
光学スキャナー１４Ｄ２は、ビーム光源１４Ｄ１から発したビーム光を２次元的に走査しながら表示手段１６の投影面に投射する光学装置である。光学スキャナー１４Ｄ２によるビーム光の走査は、ビーム光源１４Ｄ１と同様に駆動制御部１４Ｄ３により駆動制御される。
【００５９】
光学スキャナー１４Ｄ２としては、例えば小型で高速走査が可能なガルバノミラーを用いたものを使用することができる。また、上記駆動制御部１４Ｄ３は、方向性情報付コンテンツ情報（例えば、画像データ）を記憶する画像メモリを有し、予め設定登録された投影対象の方向性情報付コンテンツ情報（例えば、画像データ）や、端末側統括制御手段１４Ａから制御データとともに送られてきた投影対象の方向性情報付コンテンツ情報（例えば、画像データ）が記憶される。この画像メモリに記憶されている方向性情報付コンテンツ情報（例えば、画像データ）に基づいて、上記ビーム光源１４Ｄ１及び光学スキャナー１４Ｄ２が駆動制御される。
【００６０】
ビーム光源１４Ｄ１として互いに波長が異なる複数種類のビーム光（例えば３原色ビーム光）を出射可能なものを用い、各ビーム光を同時に走査して投射すれば、カラー画像を表示手段１６の投影面上に投影することができる。
【００６１】
また、上記ビーム光源１４Ｄ１として、互いに独立に強度制御可能な発光点が１列状に並んだ１次元アレイ素子からなる光源を用いることもできる。この場合は、光源から出射されたライン状の光を光学スキャナー１４Ｄ２で１次元的に走査すればよい。
【００６２】
また、上記ビーム光源１４Ｄ１として、互いに独立に強度制御可能な発光点が２次元的に並んだ２次元アレイ素子からなる光源を用いることもできる。この場合は、光学スキャナー１４Ｄ２の代わりに、光源上に表示された２次元的な画像を拡大して表示手段１６の投影面上に投影する拡大投影光学系を用いる。
【００６３】
なお、上記具体例は、コンテンツ情報投影手段１４Ｄの構成の一例を示すものであり、これに限定されるものではない。表示手段１６として立体表示装置を採用すれば、３次元画像・映像を表示することができる。従来から周知の画像投影技術を利用することができる。
【００６４】
表示手段１６は、例えば、構造物やプライベート空間等の壁面、天井壁面又は床面等で構成された平面的（２次元的）なもの、プロジェクタ等の各種スクリーンやディスプレイ、あるいは球状ディスプレイ等の立体的（３次元）なデバイス装置等が該当する。特に、前者は、表示デバイスが不要になり、いつでも容易に画像・映像を楽しむことができる。
【００６５】
図５は、通信装置１４の一態様としてスマートフォン装置１５を採用して、コンテンツ情報投影手段１４Ｄから表示手段１６に対して画像又は映像を投影する状態を示した構成図である。スマートフォン装置１５に設けた複数のコンテンツ情報投影手段１４Ｄから画像又は映像を投影することができる。
【００６６】
なお、通信装置１４はスマートフォン装置１５に限定されるものではなく、例えば、腕時計やモバイル型の端末全てが適用できる。
【００６７】
また、サーバー１２に設けられたコンテンツ情報編集手段１２Ｃは、通信装置１４側に設けられている構成でもよい。コンテンツ情報編集手段１２Ｃが通信装置１４側に設けられている構成では、通信装置同士の通信により、任意の通信装置から対象となる通信装置に対して特定情報が出力される。
【００６８】
例えば、通信装置１４に個別の通信番号を設けておき対象となる通信装置１４に対して特定情報を出力したり、あるいはモバイル等のテザリング機能を利用することで特定情報の通信が可能になる。このとき、特定情報を受けた通信装置１４側では、特定情報を受けたことを示す報知機能（アラーム機能）を設けておくことにより、対象となる通信装置１４の所有者に知らせることができる。そして、通信装置１４側に設けられたコンテンツ情報編集手段を使って特定情報をコンテンツ情報に付加することができる。
【００６９】
次に、本実施形態のコンテンツ情報出力方法について説明する。
【００７０】
図６に示すように、通信装置１４のＧＰＳ機能を利用して、通信装置１４の位置である所定の地点（例えば、Ａ地点）の現在のライブ画像データあるいはライブ映像データの送信をサーバー１２に対して要求する（コンテンツ情報の要求ステップ（Ｓ１００））。このとき、通信装置１４のＧＰＳ機能に限られず、通信装置１４の住所検索や電話番号検索から任意の地点を特定するようにしてもよい。また、通信装置１４の位置以外の位置の画像・映像データを要求することも可能である。
【００７１】
サーバー１２は、通信装置１４からコンテンツ情報の要求を受けて、コンテンツ情報の要求内容に基づいて、通信装置１４に対して出力すべきコンテンツ情報をコンテンツ情報記憶手段１２Ｄの中から検索して特定する（コンテンツ情報の検索・特定ステップ（Ｓ１１０））。具体的には、通信装置１４からの要求内容に合致する地点・時代の星座あるいは風景をコンテンツに含むコンテンツ情報が検索されて特定される。
【００７２】
ここで、通信装置１４から出力されるコンテンツ情報の要求信号の一部に、通信装置１４の方向検知手段１４Ｂにより検知した方向・位置（経度及び緯度）に関する位置情報を含めるようにしてもよい。この場合、サーバー１２のサーバー側統括制御手段１２Ａが通信装置１４の位置情報に基づいて、当該通信装置１４の位置で視認することが可能な星座・風景等のコンテンツを含んだコンテンツ情報が検索・特定される。
【００７３】
通信装置１４からの要求内容に合致するコンテンツ情報が特定されると、サーバー１２のコンテンツ情報出力手段１２Ｅによりコンテンツ情報が通信装置１４に対して出力される（コンテンツ情報の出力ステップ（Ｓ１２０））。これにより、通信装置１４は、自らが要求したコンテンツ情報を取得し、適宜、端末側記憶手段１４Ｅに記憶する。
【００７４】
通信装置１４のコンテンツ情報方向調整手段１４Ｃは、方向検知手段１４Ｂを利用して実際の方向と方向性情報付コンテンツ情報の方向とが一致するように調整する（コンテンツ情報の方向調整ステップ（Ｓ１３０））。コンテンツ情報自体をデジタル的に調整したり、あるいはコンテンツ情報投影手段１４Ｄを制御して投影手法で調整する方法等がある。
【００７５】
そして、通信装置１４のコンテンツ情報投影手段１４Ｄは、コンテンツの方向と実際の方向とが一致した状態で表示可能となるように方向性情報付コンテンツ情報のコンテンツを表示手段１６に対して投影する（コンテンツ情報の投影ステップ（Ｓ１４０））。これにより、例えば、自宅等の構造物の壁面、天井壁面又は床面に対して星座や風景が映し出される。しかも、構造物の壁面、天井壁面又は床面上に映し出された星座や風景の位置及び方角が、それらが実際に見える位置及び方角と一致しており、臨場感が高まる。
【００７６】
例えば、北の夜空に見える星座・天体や風景が、室内の北側の位置に映し出される。同様にして、南の夜空に見える星座・天体や風景が、室内の南側の位置に映し出される。この結果、室内が高精度なプラネタリウムやリアルな映画シアターなどの芸術館に変わり、エンターテイメント性を備えた学習（教育）効果が期待できる。
【００７７】
また、通信装置１４の方向検知手段１４Ｂにより通信装置１４の現在の方向等の位置が特定され、その位置で確認することができるコンテンツ情報をサーバー１２から取得した場合には、通信装置１４の位置で確認できる実際の星座及び風景等のコンテンツが、実際の方向・位置と同じ方向・位置に、そのコンテンツが映し出される。
【００７８】
次に、コンテンツ情報の生成方法について説明する。
【００７９】
図７に示すように、ベースとなるコンテンツを含むコンテンツ情報を用意する（コンテンツ情報の準備ステップ（Ｓ２００））。
【００８０】
サーバー１２のコンテンツ方向性情報付与手段１２Ｂは、所定のコンテンツに関するコンテンツ情報に対してコンテンツの方向を特定するための方向性情報を付与する（コンテンツ方向性情報の付与ステップ（Ｓ２１０））。
【００８１】
そして、方向性情報付コンテンツ情報としてコンテンツ方向性情報記憶手段１２Ｄに記憶される。
【００８２】
ここで、コンテンツ方向性情報付与手段は通信装置１４側に内蔵されていてもよく、この場合には、コンテンツ情報が通信装置１４側で生成される。そして、方向性が調整された方向性情報付コンテンツ情報が通信装置１４からサーバー１２等に対して送信される。
【００８３】
サーバー１２又は通信装置１４から、コンテンツと共に表示可能な特定情報の編集要求がある場合（Ｓ２２０：ＹＥＳ）には、コンテンツ情報編集手段１２Ｃが方向性情報付コンテンツ情報に対して特定情報を挿入（追加又は削除）する（コンテンツ情報の編集ステップ（Ｓ２３０））。
【００８４】
そして、特定情報の挿入後の方向性情報付コンテンツ情報がコンテンツ方向性情報記憶手段１２Ｄに記憶される（コンテンツ情報の記憶ステップ（Ｓ２４０））。
【００８５】
ここで、コンテンツ情報編集手段１２Ｃは各通信装置１４側に内蔵されていてもよく、この場合には、サーバー１２以外の各通信装置１４で特定情報が挿入された後、特定情報挿入後の方向性情報付コンテンツ情報が通信装置１４の端末側記憶手段１４Ｅに記憶される。
【００８６】
なお、サーバー１２又は通信装置１４から、コンテンツと共に表示可能な特定情報の編集要求がない場合（Ｓ２２０：ＮＯ）には、特定情報が挿入されない状態で方向性情報付コンテンツ情報がコンテンツ情報記憶手段１２Ｄに記憶される（コンテンツ情報の記憶ステップ（Ｓ２４０））。
【００８７】
そして、図７のＳ２４０においてコンテンツ情報記憶手段１２Ｄに記憶された特定情報付き又は特定情報無しの方向性情報付コンテンツ情報は、図６のＳ１４０においてそれを要求した通信装置１４に対して出力される。その後、上述のとおり、通信装置１４から構造物の壁等に最適なコンテンツが映し出される。
【００８８】
以上にように、本実施形態によれば、通信装置１４の方向検知機能や住所入力機能等を利用して通信装置１４の現在の方向・位置（例えば、Ａ地点）を指定することにより、現在の方向・位置（例えば、Ａ地点周辺）で確認可能な映像・画像等を室内に映し出すことができる。このため、地球上の全地点（周辺）の過去・現在・未来における天体情報をプライベート空間内で観察可能になる。また、通信装置１４の位置に関係なく、日本では観ることができない映像をサーバー１２から取得して観ることができる。
【００８９】
このように、例えば、流星群をライブで観たいときや、また日本では観ることができない日食・月食のライブ映像などを観ることもできる。
【００９０】
また、各年代のコンテンツ情報をサーバー１２から取得することにより、例えば、２０年前等のように設定した時の天体映像を映し出し、当時を思い出すこともできる。
【００９１】
本実施形態のコンテンツ情報出力システム及びコンテンツ情報出力方法は、各家庭のみならず、学習用教材として、あるいは駅や病院等の公共施設、結婚式、デイサービス施設、葬儀等においても使用することができ、それぞれの用途に役立つ。
【００９２】
また、任意の日時の観察したい天体映像を室内に映し出すことによって、外部の天候に左右されることなく、室内で天体観察することができる。戸建て住宅あるいは集合住宅においても、上階の存在を気にすることなく、天井壁面に映し出された星座などの映像を観察することができる。
【００９３】
さらに、コンテンツは、星座や風景に限定されず、投影可能なコンテンツであれば全てを採用することができる。
【００９４】
なお、上記実施形態は本発明の一実施形態であるため、本発明が上記実施形態の内容に限定されるものでないことは当然である。
【符号の説明】
【００９５】
１０      コンテンツ情報出力システム
１２      サーバー
１２Ａ    サーバー側統括制御手段
１２Ｂ    コンテンツ方向性情報付与手段
１２Ｃ    コンテンツ情報編集手段
１２Ｄ    コンテンツ情報記憶手段
１２Ｅ    コンテンツ情報出力手段
１４      通信装置
１４Ａ    端末側統括制御手段
１４Ｂ    方向検知手段
１４Ｃ    コンテンツ情報方向調整手段
１４Ｄ    コンテンツ情報投影手段
１４Ｅ    端末側記憶手段
１５      スマートフォン装置
１６      表示手段
【図１】
2015222514.tif 000003
【図２】
2015222514.tif 000004
【図３】
2015222514.tif 000005
【図４】
2015222514.tif 000006
【図５】
2015222514.tif 000007
【図６】
2015222514.tif 000008
【図７】
2015222514.tif 000009